(57)【要約】      （修正有）【課題】不使用時においてはコンパクトに折り畳むことができ、使用時においては簡単に短時間で同軸一直線状態を強固に保持することができるプレジャーボート等の小型船舶で使用可能な折畳み式銛を提供する。【解決手段】下パイプ連結部１２を円筒部１２Ｂと、円筒部と同径で先端部に内Ｒ面が形成された半円筒部１２Ｃと、円筒部より小径の小円筒部１２Ａとが軸方向に沿って一体化した構造とする。下銛柄１と上銛柄２を揺動可能に支持する銛柄連結部３を、両隅部に外Ｒ面がそれぞれ形成された第１半円筒部３Ａと、それと反対側の両隅部に内Ｒ面がそれぞれ形成された同径かつ軸方向長さが第１半円筒部より長い第２半円筒部３Ｂとが径方向に沿って一体化した構造とする。半円筒部と第２半円筒部が接合した状態で軸ボルト８及び軸ナット９によって下銛柄と上銛柄の各揺動軸を形成する。【選択図】図３
0003233391.tif 000002
【実用新案登録請求の範囲】
【請求項１】
人が把持するための下銛柄（１）及び上銛柄（２）と、
前記下銛柄（１）及び前記上銛柄（２）の各端部（１２、２２）を揺動可能にそれぞれ支持する銛柄連結部（３）とを備えた折畳み式銛であって、
前記下銛柄（１）及び前記上銛柄（２）の各前記端部（１２、２２）は先端に半円筒部（１２Ｃ）を有し、且つ
前記銛柄連結部（３）は、前記半円筒部（１２Ｃ）が係合する第１半円筒部（３Ａ）と第２半円筒部（３Ｂ）とが径方向に沿って一体化した形状を成している
ことを特徴とする折畳み式銛。
【請求項２】
人が把持するための下銛柄（１）及び上銛柄（２）と、
前記下銛柄（１）及び前記上銛柄（２）の各端部（１２、２２）を揺動可能にそれぞれ支持する銛柄連結部（３）とを備えた折畳み式銛であって、
前記下銛柄（１）及び前記上銛柄（２）の各前記端部（１２、２２）は、先端に内円弧面（１２Ｃａ）を有する半円筒部（１２Ｃ）と、前記半円筒部（１２Ｃ）と同径である円筒部（１２Ｂ）とが軸方向に一体化した形状を成し、且つ
前記銛柄連結部（３）は、外円弧面（３Ａａ）を有する第１半円筒部（３Ａ）と、内円弧面（３Ｂａ）を有し前記第１半円筒部（３Ａ）と同径である第２半円筒部（３Ｂ）とが径方向に沿って一体化した形状を成している
ことを特徴とする折畳み式銛。
【請求項３】
請求項１又は２に記載の折畳み式銛において、
前記半円筒部（１２Ｃ）及び前記第２半円筒部（３Ｂ）には、前記下銛柄（１）及び前記上銛柄（２）についての揺動軸となる軸ボルト（８）及び軸ナット（９）を通す段差付き貫通穴（３Ｂｄ、１２Ｃｃ）がそれぞれ形成されている
ことを特徴とする折畳み式銛。
【請求項４】
請求項１から３の何れか１項に記載の折畳み式銛において、
前記下銛柄（１）及び前記上銛柄（２）の各前記円筒部（１２Ｂ）は、前記円筒部（１２Ｂ）より小径の小円筒部（１２Ａ）が軸方向に沿って一体化されている
ことを特徴とする折畳み式銛。
【請求項５】
請求項１から４の何れか１項に記載の折畳み式銛において、
前記銛柄連結部（３）の軸方向に沿った外形寸法は、前記下銛柄（１）及び前記上銛柄（２）の各外形寸法と同一かそれ以下に設定され、
前記半円筒部（１２Ｃ）と前記第２半円筒部（３Ｂ）との接合状態を強固なものにする中空円筒部材（５）が前記銛柄連結部（３）の外周面に沿ってスライド可能である
ことを特徴とする折畳み式銛。
【請求項６】
請求項５に記載の折畳み式銛において、
前記中空円筒部材（５）の内周面には１又は複数の内周溝（５ｂ）が形成され、
前記下銛柄（１）及び前記上銛柄（２）の各端部（１２、２２）には前記内周溝（５ｂ）に嵌まる押下げ可能な飛出し部材（７）が径方向に沿って設けられている
ことを特徴とする折畳み式銛。
【請求項７】
請求項５又は６に記載の折畳み式銛において、
前記下銛柄（１）又は前記上銛柄（２）の外周面には前記中空円筒部材（５）のスライド移動を規制するストッパー（６）が取り付けられている
ことを特徴とする折畳み式銛。
【請求項８】
請求項７に記載の折畳み式銛において、
前記ストッパー（６）の前記中空円筒部材（５）に対向する端部には切欠き部（６ａ）が形成され、前記中空円筒部材（５）の前記ストッパー（６）に対向する端部には前記切欠き部（６ａ）に圧着嵌合する突起部（５ａ）が形成されている
ことを特徴とする折畳み式銛。
【考案の詳細な説明】
【技術分野】
【０００１】
本考案は折畳み式銛に関し、より詳細には不使用時においてはコンパクトに折り畳むことができ、使用時においては簡単に短時間で同軸一直線状態を強固に保持することができるプレジャーボート等の小型船舶で使用可能な折畳み式銛に関するものである。 
【背景技術】
【０００２】
マグロ、カジキなどの大型魚を釣り上げた際、引き上げる前に獲物の体力を消耗させるための打ち込み銛が使用されている。このような打ち込み銛は、一般に、離れた位置からでも獲物に一直線に深く突き刺すことができるように小径長軸構造を成している。
【０００３】
人が把持するための銛柄が長軸の場合、プレジャーボート等の小型漁船での持ち運び・収納に不便である。そのため、銛柄を上下二分割した分割式の打ち込み銛が知られている（例えば、非特許文献１を参照。）。上半分の銛柄と下半分銛柄との接続手段はねじ結合である。すなわち、一方の半銛柄の端部にボルト、他方の半銛柄の端部にナットがそれぞれ溶接されている。そして、使用時においてはボルトとナットを２本の六角レンチ又はパイプレンチ等で締め付けると共に、保管時にはボルトとナットを２本の六角レンチ又はパイプレンチ等で緩め、上半銛柄と下半銛柄を並行に束ねた状態で保管することとしている。
【０００４】
他方、分割式ではなく、１本物で銛柄の長さが可変する伸縮式の打ち込み銛も知られている（例えば、非特許文献２を参照。）。この伸縮式の打ち込み銛では、銛柄がテレスコープ構造を成し、３段に同軸に伸縮するように構成されている。すなわち、使用時においてはバネのストッパーを解除して銛柄をバネの力で伸ばすと共に、保管時においては人力で銛柄を多段に押し下げ縮ますこととしている。
【先行技術文献】
【特許文献】
【０００５】
【特許文献１】特許５６８７７５０号
【非特許文献】
【０００６】
【非特許文献１】https://topwater.ocnk.net/product/1187
【非特許文献２】https://topwater.ocnk.net/product/3312
【考案の概要】
【考案が解決しようとする課題】
【０００７】
上述した通り、従来の銛は１本物で全長が長く、大型漁船などで使用することには問題ないが、プレジャーボート等の小型漁船で使用する際には保管スペースに問題があった。
【０００８】
また、上記分割式または伸縮式の銛は、コンパクトに収納することが可能であるため、小型船舶で使用する際に保管スペースの問題等は発生しない。
【０００９】
しかしながら、分割式の銛の場合、接続／分離には２本の六角レンチ又はパイプレンチ等の工具が必要となるため、突然の大型魚への対応が非常に難しいと考えられる。
【００１０】
また、伸縮式の銛の場合、突いた際の反力で銛柄が縮んでしまうことがあり、銛刃が獲物の内部深くまで到達しない場合が起こり得る。
【００１１】
そこで、本考案は上記従来技術の問題点に鑑み成されたものであり、その目的は、不使用時においてはコンパクトに折り畳むことができ、使用時においては簡単に短時間で同軸一直線状態を強固に保持することができるプレジャーボート等の小型船舶で使用可能な折畳み式銛を提供することにある。
【課題を解決するための手段】
【００１２】
上記目的を達成するための本考案に係る折畳み式銛は、人が把持するための下銛柄（１）及び上銛柄（２）と、前記下銛柄（１）及び前記上銛柄（２）の各端部（１２、２２）を揺動可能にそれぞれ支持する銛柄連結部（３）とを備えた折畳み式銛であって、前記下銛柄（１）及び前記上銛柄（２）の各前記端部（１２、２２）は先端に半円筒部（１２Ｃ）を有し、且つ前記銛柄連結部（３）は、前記半円筒部（１２Ｃ）が係合する第１半円筒部（３Ａ）と第２半円筒部（３Ｂ）とが径方向に沿って一体化した形状を成していることを特徴とする。
【００１３】
上記目的を達成するための本考案に係る他の折畳み式銛は、人が把持するための下銛柄（１）及び上銛柄（２）と、前記下銛柄（１）及び前記上銛柄（２）の各端部（１２、２２）を揺動可能にそれぞれ支持する銛柄連結部（３）とを備えた折畳み式銛であって、前記下銛柄（１）及び前記上銛柄（２）の各前記端部（１２、２２）は、先端に内円弧面（１２Ｃａ）を有する半円筒部（１２Ｃ）と、前記半円筒部（１２Ｃ）と同径である円筒部（１２Ｂ）とが軸方向に一体化した形状を成し、且つ前記銛柄連結部（３）は、外円弧面（３Ａａ）を有する第１半円筒部（３Ａ）と、内円弧面（３Ｂａ）を有し前記第１半円筒部（３Ａ）と同径である第２半円筒部（３Ｂ）とが径方向に沿って一体化した形状を成していることを特徴とする。
【００１４】
上記構成では、例えば下銛柄（１）の半円筒部（１２Ｃ）と銛柄連結部（３）の第２半円筒部（３Ｂ）が接合した状態において、下銛柄（１）の半円筒部（１２Ｃ）の円弧面（１２Ｃａ）が銛柄連結部（３）の外円弧面（３Ａａ）をスライドすることができると共に、下銛柄（１）の円筒部（１２Ｂ）の半垂直面（１２Ｂａ）が銛柄連結部（３）の第２半円筒部（３Ｂ）の内円弧面（３Ｂａ）をスライドすることができる。そして、下銛柄（１）の円筒部（１２Ｂ）の半垂直面（１２Ｂａ）は、第２半円筒部（３Ｂ）の内円弧面（３Ｂａ）をスライドし終えた後に、第２半垂直面（３Ｂｂ）に係合して停止する。或いは第２半円筒部（３Ｂ）の円筒側面（３Ｂｃ）に係合して停止する。
【００１５】
このように、下銛柄（１）及び上銛柄（２）の各半円筒部（１２Ｃ）が銛柄連結部（３）の第２半円筒部（３Ｂ）にそれぞれ接合した状態において、第１半円筒部（３Ａ）の外円弧面（３Ａａ）と第２半円筒部（３Ｂ）の内円弧面（３Ｂａ）に係合しながら、全体を２つに折り畳むことができると共に、使用時においては素早く展開して同軸に一直線化することができる。
【００１６】
本考案に係る折畳み式銛の第３の特徴は、前記半円筒部（１２Ｃ）及び前記第２半円筒部（３Ｂ）には、前記下銛柄（１）及び前記上銛柄（２）についての揺動軸となる軸ボルト（８）及び軸ナット（９）を通す段差付き貫通穴（３Ｂｄ、１２Ｃｃ）がそれぞれ形成されていることである。
【００１７】
上記構成では、貫通穴（３Ｂｄ、１２Ｃｃ）を段差付き構造（インロー構造）とすることにより、揺動軸となる軸ボルト（８）及び軸ナット（９）を、半円筒部（１２Ｃ）又は第２半円筒部（３Ｂ）の外周面以下に納めることが可能となる。これにより、半円筒部（１２Ｃ）と第２半円筒部（３Ｂ）との接続部を補強する中空円筒部材（５）を通すことが可能となる。
【００１８】
本考案に係る折畳み式銛の第４の特徴は、前記下銛柄（１）及び前記上銛柄（２）の各前記円筒部（１２Ｂ）は、前記円筒部（１２Ｂ）より小径の小円筒部（１２Ａ）が軸方向に沿って一体化されていることである。
【００１９】
上記構成では、下銛柄（１）又は上銛柄（２）の大部分を占めるパイプ部材（１１）について、小円筒部（１２Ａ）を内部に通しながら円筒部（１２Ｂ）に同軸に安定に接続することができると共に、銛柄連結部（３）を補強する中空円筒部材（５）の位置を固定するための位置決め部材（７）を小円筒部（１２Ａ）の内部に設けることが可能となる。
【００２０】
本考案に係る折畳み式銛の第５の特徴は、前記銛柄連結部（３）の軸方向に沿った外形寸法は、前記下銛柄（１）及び前記上銛柄（２）の各外形寸法と同一かそれ以下に設定され、前記半円筒部（１２Ｃ）と前記第２半円筒部（３Ｂ）との接合状態を強固なものにする中空円筒部材（５）が前記銛柄連結部（３）の外周面に沿ってスライド可能であることである。
【００２１】
上記構成では、上記中空円筒部材（５）が銛柄連結部（３）近傍を覆うことにより、下銛柄（１）と上銛柄（２）が同軸に一直線化した状態を強固に保持することができる。
【００２２】
本考案に係る折畳み式銛の第６の特徴は、前記中空円筒部材（５）の内周面には１又は複数の内周溝（５ｂ）が形成され、前記下銛柄（１）及び前記上銛柄（２）の各端部（１２、２２）には前記内周溝（５ｂ）に嵌まる押下げ可能な飛出し部材（７）が径方向に沿って設けられていることである。
【００２３】
上記構成では、飛出し部材（７）によって中空円筒部材（５）の位置を固定することが出来ると共に、人力によって飛出し部材（７）を銛柄連結部（３）に対し相対移動させることによって固定を解除することが可能となる。
【００２４】
本考案に係る折畳み式銛の第７の特徴は、前記下銛柄（１）又は前記上銛柄（２）の外周面には前記中空円筒部材（５）のスライド移動を規制するストッパー（６）が取り付けられていることである。
【００２５】
上記構成では、上記中空円筒部材（５）の位置決めが容易となる。これにより、短時間で下銛柄（１）と上銛柄（２）を同軸に一直線化した状態に固定することが可能となる。
【００２６】
本考案に係る折畳み式銛の第８の特徴は、前記ストッパー（６）の前記中空円筒部材（５）に対向する端部には切欠き部（６ａ）が形成され、前記中空円筒部材（５）の前記ストッパー（６）に対向する端部には前記切欠き部（６ａ）に圧着嵌合する突起部（５ａ）が形成されていることである。
【００２７】
上記構成では、上記中空円筒部材（５）の突起部（５ａ）をストッパー（６）の切欠き部（６ａ）に圧着嵌合させることにより、中空円筒部材（５）の位置決めを強固なものとすると共に、下銛柄（１）と上銛柄（２）との同軸一直線化状態を強固なものとすることが可能となる。
【考案の効果】
【００２８】
本考案に係る折畳み式銛によれば、不使用時においてはコンパクトに折り畳むことができ、使用時においては簡単に短時間で同軸一直線状態を強固に保持することができるようになる。これによりプレジャーボート等の小型船舶での使用・収納が可能となる。
【図面の簡単な説明】
【００２９】
【図１】折畳み式銛の収納状態を示す説明図である。
【図２】折畳み式銛の展開状態を示す説明図である。
【図３】図２のＡ−Ａ矢視図である。
【図４】下銛柄の下パイプ連結部を示す説明図である。
【図５】銛柄連結部を示す説明図である。
【図６】第１半円筒部及び第２半円筒部と半円筒部及び円筒部との間の各係合状態を示す説明図である。
【図７】補強連結部が位置決めされた状態を示す説明図である。
【考案を実施するための形態】
【００３０】
以下、添付図面を参照して本考案の実施形態を詳細に説明する。
【００３１】
図１から図３は、本考案の一実施形態に係る折畳み式銛１００を示す説明図である。図１は折畳み式銛１００が折り畳まれた収納状態を表している。図２は折畳み式銛１００が展開され下銛柄１と上銛柄２が同軸に一直線化した状態を表している。図３は図２のＡ−Ａ矢視図である。
【００３２】
この折畳み式銛柄１００は、下銛柄１と上銛柄２が軸ボルト８及び軸ナット９を支点に揺動可能に銛柄連結部３に連結されながら、下銛柄１及び上銛柄２をコンパクトに折り畳むことが出来ると共に、使用時において素早く下銛柄１と上銛柄２を同軸に一直線化することが出来るように構成されている。尚且つ、連結補強部５によって下銛柄１と上銛柄２との同軸一直線化状態を強固に保持することができるように構成されている。
【００３３】
図１に示されるように、構成としては、銛刃７０が取り付けられて銛柄の下半分を構成する下銛柄１と、銛柄の上半分を構成する上銛柄２と、下銛柄１と上銛柄２を揺動可能にそれぞれ支持する銛柄連結部３と、上銛柄２の開口を封止するエンドキャップ４と、下銛柄１と上銛柄２の揺動を規制して下銛柄１と上銛柄２との同軸一直線化状態を強固に保持する連結補強部５と、連結補強部５の軸方向の移動を規制する補強部ストッパー６と、連結補強部５を下銛柄１又は上銛柄２に対し安定に位置決めするボールプランジャー７と、下銛柄１又は上銛柄２についての揺動軸を形成する軸ボルト８及び軸ナット９と、補強部ストッパー６を下銛柄１に固定するリベット１０とを具備してこの折畳み式銛１００は構成されている。以下、各構成について更に説明する。
【００３４】
下銛柄１は、中空円筒構造の下パイプ１１と、下パイプ１１を銛柄連結部３に揺動可能に取り付けるための下パイプ連結部１２と、銛刃７０を取り付けるための下端キャップ１３とから構成されている。特に、図２に示されるように、下パイプ連結部１２及び上パイプ連結部２２は、先端部が内Ｒ面に形成された半円筒部１２Ｃと、それと同径の円筒部１２Ｂと、円筒部１２Ｂより小径の小円筒部Ａとが軸方向に沿って一体化した構造を成している。他方、下パイプ連結部１２及び上パイプ連結部２２が取り付けられる銛柄連結部３は、両隅部に外Ｒ面がそれぞれ形成された第１半円筒部３Ａと、それと反対側の両隅部に内Ｒ面がそれぞれ形成された第２半円筒部３Ｂとが径方向に沿って一体化した構造を成している。
【００３５】
従って、下銛柄１と上銛柄２は、半円筒部１２Ｃの水平面１２Ｃｂ（図４）と第２半円筒部３Ｂの水平面３Ｂｆ（図５）が接合した状態において、半円筒部１２Ｃの内Ｒ面が第１半円筒部３Ａの外Ｒ面をスライドしながら、円筒部１２Ｂの半垂直面１２Ｂａ（図４）が第２半円筒部３Ｂの内Ｒ面をスライドする。これにより、素早く長軸の下銛柄１及び上銛柄２をコンパクトに折り畳むことが出来ると共に、使用時において素早く下銛柄１と上銛柄２を同軸に一直線化することが出来るようになる。
【００３６】
また、下銛柄１と上銛柄２が同軸に一直線化した状態において、下パイプ１１、円筒部１２Ｂ、半円筒部１２Ｃ＋第２半円筒部３Ｂ、第１半円筒部３Ａ＋第２半円筒部３Ｂ、半円筒部１２Ｃ＋第２半円筒部３Ｂ、円筒部１２Ｂ、上パイプ２２が軸方向に関して同径の円筒形を成している。その結果、中空円筒構造の連結補強部５が上パイプ連結部２２、下パイプ連結部１２及び銛柄連結部３の各外周面をスライドすることが可能となる。従って、連結補強部５が位置決めされた場合、半円筒部１２Ｃと第２半円筒部３Ｂとの接続状態を強固にする。
【００３７】
図１に戻って、下パイプ連結部１２及び下端キャップ１３は、溶接によって下パイプ１１にそれぞれ一体結合されている。また、下パイプ１１にはボールプランジャー７を挿入するための貫通穴１１ａ（図３）とリベット１０を挿入するための貫通穴１１ｂ（図３）が下パイプ１１の径方向に沿って対称に２個ずつ形成されている。なお、下パイプ連結部１２の小円筒部１２Ａにはボールプランジャー７を圧着挿入するための貫通穴１２Ａａ（図４）が形成されている。下パイプ１１の材質については例えばアルミニウム合金を使用することができるが、銛としての強度が保持されるのであればその材質について特に問わない。下パイプ連結部１２及び下端キャップ１３の各材質についても同様である。
【００３８】
また、下銛柄１には補強部ストッパー６がリベット１０によって常時固定されている。従って、図２に示されるように、下銛柄１と上銛柄２が同軸に一直線化した状態において、ユーザーが連結補強部５を上銛柄２、銛柄連結部３及び下銛柄１をスライドさせながら、連結補強部５の突起部５ａ（図３）を補強部ストッパー６の切欠き部６ａに嵌合させる。これにより、連結補強部５の内周溝５ｂにボールプランジャー７が嵌まり、下銛柄１と上銛柄２は揺動することが出来なくなる。
【００３９】
上銛柄２は、中空長軸構造の上パイプ２１と、上パイプ２１を銛柄連結部３に揺動可能に取り付けるための上パイプ連結部２２とから構成されている。上パイプ連結部２２は溶接によって上パイプ２１に一体化されている。なお、上パイプ連結部２２と下パイプ連結部１２は、互いに同一構造であるため、以降において上パイプ連結部２２の説明については省略することにする。また、上パイプ２１にはボールプランジャー７を挿入するための貫通穴２１ａ（図３）が上パイプ２１の径方向に沿って対称に２個ずつ形成されている。
【００４０】
図１に戻って、上パイプ２１の銛柄連結部３と反対側の端部内周面には雌ねじ部２１ｂが形成されている。エンドキャップ４の端部には上パイプ２１の雌ねじ部２１ｂと係合する雄ねじ部４ａが形成されている。
【００４１】
図２に示されるように、銛柄連結部３は、両隅部に外Ｒ面が形成された第１半円筒部３Ａと、第１半円筒部３Ａと同径かつ軸方向長さが第１半円筒部３Ａより長い第２半円筒部３Ｂが径方向に沿って一体化した構造を成している。第１半円筒部３Ａについては、下銛柄１及び上銛柄２が軸ボルト８及び軸ナット９の回りを揺動することができるように両隅部に外Ｒ面を有している。同様に、第２半円筒部３Ｂについて、下銛柄１及び上銛柄２が軸ボルト８及び軸ナット９の回りを揺動することができるように両隅部に内Ｒ面を有している。なお、銛柄連結部３の詳細については図５を参照しながら後述する。
【００４２】
図１に示されるように、エンドキャップ４は、上パイプ２１の雌ねじ部２１ｂとねじ結合する雄ねじ部４ａと、雄ねじ部４ａの反対側の端部にＩ状の凹部が形成されテーパー面を有する半円筒形状のキャップ本体４ｂとから構成されている。
【００４３】
図３に示されるように、連結補強部５は、中空円筒構造を成し、内周面にボールプランジャー７が嵌まる内周溝５ｂが所定間隔空けて形成されている。この間隔は、下銛柄１と上銛柄２が同軸に一直線化した状態（図２）におけるボールプランジャー７の設定距離（ピッチ）に等しくなっている。また、左・右端部５ｄ,５ｅと中間部５ｃと間には段差が形成され、ユーザーが中間部５ｃを把持して、連結補強部５を上銛柄２、銛柄連結部３及び下銛柄１上をスライドできるように構成されている。
【００４４】
連結補強部５の左端部５ｄには、突起部５ａが軸方向に沿って点対称に二箇所に形成されている。突起部５ａは補強部ストッパー６の切欠き部６ａに圧着嵌合する。これにより、連結補強部５は軸方向回りに回転することが出来なくなると共に、銛刃７０側にスライドさせることが出来なくなる。
【００４５】
補強部ストッパー６は、テーパー面を備えた中空円筒構造を成し、リベット１０を通すための貫通穴６ｂ（図３）が径方向に沿って点対称に二箇所に形成されている。また、軸方向端部には連結補強部５の突起部５ａに係合する切欠き部（図３）が軸方向に沿って点対称に２箇所に形成されている。
【００４６】
ボールプランジャー７は、ボール（鋼球、プラスチック球）がバネによって飛び出す方向に付勢されながらメタル又はプラスチック製の一端開口の中空円筒容器に収納されて構成されている。ボールプランジャー７のボールが連結補強部５の内周溝５ｂに嵌まることにより、連結補強部５の軸方向位置が位置決めされることになる。
【００４７】
軸ボルト８は、六角の切欠きが頂部に形成された球面フランジと雄ねじ部とから構成される。
【００４８】
軸ナット９は、六角の切欠きが頂部に形成された球面フランジと、内部に雌ねじが形成された円筒部とから構成される。
【００４９】
リベット１０は、例えば丸頭のシールドリベットを使用することができる。シールドリベットはリベットボディが袋状にマンドレルヘッドを覆っているため、水密性が高いことが特徴である。
【００５０】
図４は、下銛柄１の下パイプ連結部１２を示す説明図である。図４（ａ）は下パイプ連結部１２の斜視図を表している。図４（ｂ）は下パイプ連結部１２の正面図を表している。図４（ｃ）は図４（ｂ）の平面図を表している。図４（ｄ）は図４（ｂ）の左側面図を表している。図４（ｅ）は図４（ｂ）の右側面図を表している。
【００５１】
図４（ａ）に示されるように、下パイプ連結部１２は一方の端部が軸方向に沿って直角に切り取られ、その残部先端に内Ｒ面１２Ｃａが形成されている。なお、ここで言う「内Ｒ面」とは、Ｒ中心が部材内部に位置するＲ面を意味している。他方、「外Ｒ面」とは、Ｒ中心が部材の外側に位置するＲ面を意味している。
【００５２】
図４（ｂ）に示されるように、下パイプ連結部１２は、下パイプ１１の内部に挿入される小円筒部１２Ａと、下パイプ１１が溶接される円筒部１２Ｂと、銛柄連結部３の第２半円筒部３Ｂと接合する半円筒部１２Ｃとが軸方向に沿って一体化した構造を成している。半円筒部１２Ｃの水平面１２Ｃｂは、銛柄連結部３の第２半円筒部３Ｂの水平面３Ｂｆ（図５）に接合するように構成されていると共に、半円筒部１２Ｃの半垂直面１２Ｂａは銛柄連結部３の第２半円筒部３Ｂの内Ｒ面３Ｂａ（図５）をスライドするように構成されている。
【００５３】
図４（ｃ）に示されるように、小円筒部１２Ａにはボールプランジャー７を圧着嵌合するための貫通穴１２Ａａが形成されている。また、半円筒部１２Ｃには軸ボルト８又は軸ナット９を通すための段差付き貫通穴１２Ｃｃが形成されている。この段差付き貫通穴１２Ｃｃは銛柄連結部３の第２半円筒部３Ｂの段差付き貫通穴３Ｂｄ（図５）に連通している。従って、段差付き貫通穴１２Ｃｃに軸ボルト８が通される場合、第２半円筒部３Ｂの段差付き貫通穴３Ｂｄには軸ナット９が通されることになる。その逆の場合もあり得る。
【００５４】
また、半円筒部１２Ｃの軸方向端部に、例えば段差付き貫通穴１２Ｃｃの穴中心１２Ｃｄを中心とした内Ｒ面１２Ｃａが形成されている。なお、この内Ｒ面１２Ｃａは銛柄連結部３の第１半円筒部３Ａ（図５）の外Ｒ面３Ａａ（図５）をスライドするように構成されている
【００５５】
図４（ｄ）に示されるように、小円筒部１２Ａの断面形状は円形であり、円筒部１２Ｂの断面形状も円形である。
【００５６】
図４（ｅ）に示されるように、半円筒部１２Ｃの断面形状は半円である。従って、下パイプ１１（図１）が小円筒部１２Ａを挿入され円筒部１２Ｂに溶接された場合、下パイプ１１、円筒部１２Ｂ、半円筒部１２Ｃ＋第２半円筒部３Ｂ（図５）は軸方向に沿って面一又は殆ど面一となる。以下に、半円筒部１２Ｃの内Ｒ面１２Ｃａがスライドする外Ｒ面３Ａａ、円筒部１２Ｂの半垂直面１２Ｂａがスライドする内Ｒ面３Ｂａを有する銛柄連結部３について説明する。
【００５７】
図５は、銛柄連結部３を示す説明図である。図５（ａ）は銛柄連結部３の斜視図を表している。図５（ｂ）は銛柄連結部３の正面図を表している。図５（ｃ）は図５（ｂ）の平面図を表している。図５（ｄ）は図５（ｃ）の右側面図を表している。
【００５８】
図５（ａ）に示されるように、軸ボルト８又は軸ナット９を通すための段差付き貫通穴３Ｂｄが２箇所に形成されている。一方の段差付き貫通穴３Ｂｄが下銛柄１を取り付けるためのものであり、他方の段差付き貫通穴３Ｂｄが上銛柄２を取り付けるためのものである。
【００５９】
図５（ｂ）に示されるように、銛柄連結部３は互いに同径である第１半円筒部３Ａと第２半円筒部３Ｂとが径方向に一体化した構造を成している。なお、下パイプ連結部１２及び上パイプ連結部２２の各半円筒部１２Ｃは、第２半円筒部３Ｂの左右の水平面３Ｂｆにそれぞれ接合されることになる。
【００６０】
図５（ｃ）に示されるように、第１半円筒部３Ａは、段差付き貫通穴３Ｂｄの軸線方向から見た場合、両端部については第１半垂直面３Ａｂと外Ｒ面３Ａａとが連続した形状を成し、その間は外形が円筒形である第１円筒側面３Ａｃによって構成されている。他方、第２半円筒部３Ｂは、段差付き貫通穴３Ｂｄの軸線方向から見た場合、両端部については内Ｒ面３Ｂａと第２半垂直面３Ｂｂとが連続した形状を成し、その間は外形が円筒形である第２円筒側面３Ｂｃによって構成されている。
【００６１】
第２半円筒部３Ｂの水平面３Ｂｆには、軸ボルト８又は軸ナット９を介して下パイプ連結部１２の半円筒部１２Ｃが接合される。そのため、軸ボルト８又は軸ナット９を通すための段差付き貫通穴１２Ｃａが左右対称に形成されている。下パイプ連結部１２の半円筒部１２Ｃの水平面１２Ｃｂは、水平面３Ｂｆに接合しながら、軸ボルト８及び軸ナット９を支点として揺動することになる。
【００６２】
図５（ｄ）に示されるように、軸方向から見た銛柄連結部３の外形は円形である。銛柄連結部３の右側面図は、円を四等分したときの左上半分が第１垂直面３Ａｂを成し、左下半分が外Ｒ面３Ａａを成し、右上半分が内Ｒ面３Ｂａを成し、右下半分が第２半垂直面３Ｂｂを成している。
【００６３】
図６は、第１半円筒部３Ａ及び第２半円筒部３Ｂと半円筒部１２Ｃ及び円筒部１２Ｂとの間の各係合状態を示す説明図である。図６（ａ）は下銛柄１と上銛柄２が同軸に一直線化した状態を表している。図６（ｂ）は下銛柄１と上銛柄２が折り畳まれ途中の状態を表している。図６（ｃ）は下銛柄１と上銛柄２が最後まで折り畳まれた状態を表している。
【００６４】
図６（ａ）に示されるように、下銛柄１と上銛柄２が同軸に一直線化した状態においては、半円筒部１２Ｃの水平面１２Ｃｂ（図４）が第２半円筒部３Ｂの水平面３Ｂｆ上に接合しながら、半円筒部１２Ｃの内Ｒ面１２Ｃａが第１半円筒部３Ａの外Ｒ面３Ａａに係合している。更に、円筒部１２Ｂの半垂直面１２Ｂａが第２半円筒部３Ｂの第２半垂直面３Ｂｂに係合している。なお、もし下銛柄１又は上銛柄２を図６（ａ）に示される状態から穴中心１２Ｃｄを支点として時計方向に揺動させようとする場合、円筒部１２Ｂの半垂直面１２Ｂａが第２半円筒部３Ｂの第２半垂直面３Ｂｂに干渉して揺動させることができない。
【００６５】
図６（ｂ）に示されるように、下銛柄１又は上銛柄２を図６（ａ）に示される状態から穴中心１２Ｃｄを支点として反時計方向に揺動させる場合、半円筒部１２Ｃの水平面１２Ｃｂ（図４）が第２半円筒部３Ｂの水平面３Ｂｆ上に接合しながら、円筒部１２Ｂの半垂直面１２Ｂａは第２半円筒部３Ｂの内Ｒ面３Ｂａにスライドしている。同時に、半円筒部１２Ｃの内Ｒ面１２Ｃａが第１半円筒部３Ａの外Ｒ面３Ａａにスライドしている。
【００６６】
図６（ｃ）に示されるように、下銛柄１又は上銛柄２を図６（ａ）に示される状態から穴中心１２Ｃｄを支点として反時計方向に９０°揺動させる場合、半円筒部１２Ｃが第１半円筒部３Ａの第１半垂直面３Ａｂに当接してそれ以上反時計方向に揺動させることができなくなる。この場合、円筒部１２Ｂの半垂直面１２Ｂａは第２半円筒部３Ｂの第２円筒側面３Ｂｃに当接し、半円筒部１２Ｃの内Ｒ面１２Ｃａは第１半円筒部３Ａの外Ｒ面３Ａａに係合している。また、半円筒部１２Ｃの水平面１２Ｃｂ（図４）が第２半円筒部３Ｂの水平面３Ｂｆ上に接合している。
【００６７】
以上の通り、下銛柄１と上銛柄２が同軸に一直線化した状態においては、半円筒部１２Ｃの水平面１２Ｃｂ（図４）が第２半円筒部３Ｂの水平面３Ｂｆ上に接合しながら、半円筒部１２Ｃの内Ｒ面１２Ｃａが第１半円筒部３Ａの外Ｒ面３Ａａに係合し、円筒部１２Ｂの半垂直面１２Ｂａは第２半円筒部３Ｂの第２半垂直面３Ｂｂに係合している。また、円筒部１２Ｂ、半円筒部１２Ｃ＋第２半円筒部３Ｂ、第１半円筒部３Ａ＋第２半円筒部３Ｂの各外周面については、殆ど面一となる。従って、後述する連結補強部５が、円筒部１２Ｂ、半円筒部１２Ｃ＋第２半円筒部３Ｂ、第１半円筒部３Ａ＋第２半円筒部３Ｂの各外周面に接合ことにより、下銛柄１と上銛柄２との同軸一直線化状態が強固に保持されることになる。以下に、連結補強部５と下銛柄１及び上銛柄２及び銛柄連結部３との係合について説明する。
【００６８】
図７は、補強連結部５が位置決めされた状態を示す説明図である。補強連結部５の上下の内周溝５ｂに４個のボールプランジャー７が嵌合すると共に、突起部５ａが補強部ストッパー６の切欠き部６ａに嵌合することにより、連結補強部５は下パイプ連結部１２、銛柄連結部３及び上パイプ連結部２２を包絡しながら軸方向に対し位置決めされることなる。
【００６９】
下銛柄１と上銛柄２が同軸に一直線化した状態においては、円筒部１２Ｂ、半円筒部１２Ｃ＋第２半円筒部３Ｂ、第１半円筒部３Ａ＋第２半円筒部３Ｂの各外周面（以下「銛柄接続部外周面」という。）については、殆ど面一となる。従って、銛柄接続部外周面が補強連結部５の内周面に接合した状態で補強連結部５は軸方向に対し位置決めされることになる。
【００７０】
連結補強部５の内周面は、円筒部１２Ｂと同じ円筒形であり、銛柄接続部外周面は殆ど面一であるため、銛柄接続部外周面に密に接合させることが可能となる。連結補強部５の内周面と銛柄接続部外周面が密に接合している場合、銛柄連結部３に係るガタ（遊び）が非常に少なくなる。これにより、補強連結部５が位置決めされた状態においては、下銛柄１と上銛柄２との同軸一直線化状態が強固に保持されることになる。
【００７１】
このように、本考案の折畳み式銛１００によれば、円筒形の下銛柄１と上銛柄２を９０°に折り畳むことが出来ると共に、使用時においては簡単に短時間で同軸一直線状態に強固に保持することが可能となる。
【００７２】
以上、図面を参照しながら本考案の一実施形態について説明してきたが、本考案の実施形態は上記だけに限定されない。すなわち、本考案の技術的範囲内において種々の修正・改良を追加することが可能である。
【符号の説明】
【００７３】
１            下銛柄
２            上銛柄
３            銛柄連結部
３Ａ          第１半円筒部
３Ａａ        外Ｒ面（外円弧面）
３Ａｂ        第１半垂直面
３Ａｃ        第１円筒側面
３Ｂ          第２半円筒部
３Ｂａ        内Ｒ面（内円弧面）
３Ｂｂ        第２半垂直面
３Ｂｃ        第２円筒側面
３Ｂｄ        段差付き貫通穴
３Ｂｅ        穴中心
３Ｂｆ        水平面
４            エンドキャップ
４ａ          雄ねじ部
４ｂ          キャップ本体
５            連結補強部（中空円筒部材）
５ａ          突起部
５ｂ          内周溝
６            補強部ストッパー（ストッパー）
６ａ          切欠き部
６ｂ          貫通穴
７            ボールプランジャー（飛出し部材）
８            軸ボルト（揺動軸）
９            軸ナット（揺動軸）
１０          リベット
１１          下パイプ
１２          下パイプ連結部
１２Ａ        小円筒部
１２Ａａ      貫通穴
１２Ｂ        円筒部
１２Ｂａ      半垂直面
１２Ｃ        半円筒部
１２Ｃａ      内Ｒ面
１２Ｃｂ      水平面
１２Ｃｃ      段差付き貫通穴
１２Ｃｄ      穴中心
１３          下端キャップ
２１          上パイプ
２１ａ        貫通穴
２１ｂ        雌ねじ部
２２          上パイプ連結部
７０          銛刃
１００        折畳み式銛
【図１】
0003233391.tif 000003
【図２】
0003233391.tif 000004
【図３】
0003233391.tif 000005
【図４】
0003233391.tif 000006
【図５】
0003233391.tif 000007
【図６】
0003233391.tif 000008
【図７】
0003233391.tif 000009